(57)【特許請求の範囲】
【請求項１】
被清掃領域の複数箇所に貼付される汚れ検出シートであって、
水分を吸収する基材シートと、
この基材シートに含浸又は塗布されて、尿に含有される成分のｐｈ変化を促進する促進剤と、
前記基材シート内の該促進剤によるｐｈ変化を表示する表示剤と、から構成されることを特徴とするトイレ汚れ検出シート。
【請求項２】
前記促進剤は、尿に含有される尿素のアンモニア分解を促進するウレアーゼ酵素であることを特徴とする請求項１に記載のトイレ汚れ検出シート。
【請求項３】
前記基材シートに、前記表示剤でのｐｈ変化と比較される比較例を表示する比較用表示部をさらに設けたことを特徴とする請求項１又は２のいずれか１項に記載のトイレ汚れ検出シート。
【請求項４】
請求項１〜３のいずれか１項に記載のトイレ汚れ検出シートを、前記基材シートより平面形状の大きなカバーシートの間に挟んで複数積層し、前記カバーシートを互いに粘着させることによって、複数のカバーシートの間に防水状態で封入したことを特徴とするトイレ汚れ検出シート積層体。
【請求項５】
請求項１〜３のいずれか１項に記載のトイレ汚れ検出シート、又は請求項４に記載のトイレ汚れ検出シート積層体をトイレの被清掃領域の複数箇所に配置する設置工程と、
設置されたシートの変色状態から前記複数個所の汚れの程度を判別する判別工程と、
判別された汚れの程度によってトイレの清掃時期を決定する時期決定工程と、から構成されたトイレの清掃時期決定方法。
【請求項６】
請求項１〜３のいずれか１項に記載のトイレ汚れ検出シート、又は、請求項４に記載のトイレ汚れ検出シート積層体をトイレの被清掃領域の複数箇所に配置する設置工程と、
配置されたシートの変色状態から前記複数個所の汚れの程度を判別する判別工程と、
判別された汚れの程度によってトイレの清掃範囲を決定する範囲決定工程と、から構成されたトイレの清掃範囲決定方法。
【請求項７】
請求項５により決定された清掃時期および請求項６により決定された清掃範囲の少なくとも一方に基づき、トイレの清掃を実行することを特徴とするトイレの清掃方法。
【発明の詳細な説明】
【技術分野】
【０００１】
本発明は、駅のトイレなどに使用されて、トイレの清浄度の判定をする技術に関する。
【背景技術】
【０００２】
駅などの一般の人が多く利用する公的トイレでは、臭気に関する苦情が発生しやすく、頻繁に清掃を実施しても、臭気に関する苦情を完全になくすことは難しい。これは清掃を実施しても、臭気の元になる物質が十分に除去されていないためと考えられる。
【０００３】
そして、このような臭気原因物質の状況を化学的に判定する技術として、例えば特許文献１に示される検知体が知られている。
この検知体は、反応の進行に伴って色変化する感応部と、感応部の色変化前の色調、色変化後の色調及びこれら色調間の色変化途中の色調を表す比色部とを有し、感応部に隣接して該比色部を、色変化前から色変化後までの順に配列してなる構造である。
そして、前記検知体により、食品、生ごみ、排泄臭の臭気成分となるアンモンニアを検知し、該検知に基づき変化した感応部と比色部との色比較により、該アンモニアの濃度を視覚的に認識できるようにしている。
【先行技術文献】
【特許文献】
【０００４】
【特許文献１】特開２００７−２７８９２６号公報
【発明の概要】
【発明が解決しようとする課題】
【０００５】
ところで、上記特許文献１に示される検知体では、食品、生ごみ、排泄物などから発生した臭気成分となるアンモンニアを直接検出するようにしているため、該検知体がアンモニア臭気を検知するときには、周囲の空気が既にアンモニア臭気で満たされた状況にある。すなわち、検知体がアンモニア臭気を検知するときには、人間が不快な臭気を感じる状況にあり、このような状況を改善するために、人間が臭気を感じる以前に臭気成分を分析できる技術の提供が望まれていた。
【０００６】
この発明は、上述した事情に鑑みてなされたものであって、簡便な生化学反応を利用して、実際に臭気が発生する前に、臭気原因物質の存在を簡単にチェックして速やかな清掃作業を可能とする、トイレ汚れ検出シート及びその積層体、トイレの清掃範囲及び清掃時期決定方法、トイレの清掃方法を目的とする。
【課題を解決するための手段】
【０００７】
上記課題を解決するために、この発明は以下の手段を提案している。
本発明に係るトイレ汚れ検出シートによれば、トイレの被清掃領域の複数箇所に貼付される汚れ検出シートであって、水分を吸収する基材シートと、この基材シートに含浸又は塗布されて、尿に含有される成分のｐｈ変化を促進する促進剤と、前記基材シート内の該促進剤によるｐｈ変化を表示する表示剤と、から構成されることを特徴とする。
【０００８】
また、上記トイレ汚れ検出シートでは、前記促進剤は、尿に含有される尿素のアンモニア分解を促進するウレアーゼ酵素を使用することが好ましい。
【０００９】
また、上記トイレ汚れ検出シートでは、前記基材シートに、前記表示剤でのｐｈ変化と比較される比較例を表示する比較用表示部をさらに設けることが好ましい。
【００１０】
また、上記トイレ汚れ検出シートを、前記基材シートより平面形状の大きなカバーシートの間に挟んで複数積層し、前記カバーシートを互いに粘着させることによって、複数のカバーシートの間に防水状態で封入することで、トイレ汚れ検出シート積層体を構成しても良い。
【００１１】
また、上記トイレ汚れ検出シート又は上記トイレ汚れ検出シート積層体をトイレの被清掃領域の複数箇所に配置する設置工程と、設置されたシートの変色状態から前記複数個所の汚れの程度を判別する判別工程と、判別された汚れの程度によってトイレの清掃時期を決定する時期決定工程と、からトイレの清掃時期を決定しても良い。
【００１２】
また、上記トイレ汚れ検出シート又は上記トイレ汚れ検出シート積層体をトイレの被清掃領域の複数箇所に配置する設置工程と、配置されたシートの変色状態から前記複数個所の汚れの程度を判別する判別工程と、判別された汚れの程度によってトイレの清掃範囲を決定する範囲決定工程と、から構成されたトイレの清掃範囲を決定しても良い。
【００１３】
また、上記に決定された清掃範囲、清掃時期の少なくとも一方に基づき、トイレの清掃を実行しても良い。
【発明の効果】
【００１４】
本発明によれば、水分を吸収する基材シートに含浸又は塗布されて尿に含有される成分のｐｈ変化を促進する促進剤と、該促進剤によるｐｈ変化を表示する表示剤と、からトイレ汚れ検出シートを構成したので、促進剤として、例えば尿に含有される尿素のアンモニア分解を促進するウレアーゼ酵素を使用することで、尿に含有される尿素を速やかにアンモニアに分解させ、該分解によるｐｈ変化を表示剤により表すことができる。
すなわち、本発明に係るトイレ汚れ検出シートでは、尿の自然分解により不快なアンモニア臭が広く発生する以前に、促進剤よる強制的かつ局所的なアンモニア分解により尿の存在をいち早く知ることができ、その結果、臭気原因物質の存在を簡単にチェックして速やかな清掃作業を可能とする。
【００１５】
そして、このようなトイレ汚れ検出シートを、トイレの被掃除領域に複数箇所に配置し、各所の変色状態から汚れの程度を判別するようにすれば、判別された汚れの程度によってトイレの清掃範囲、清掃時期を容易に決定することができ、更には、これらトイレの清掃範囲及び清掃時期から最適な掃除のパターン、掃除スケジュールを決定することができる。
【００１６】
また、上述したトイレ汚れ検出シートを、基材シートより大きなカバーシートの間に挟んで複数積層し、これらカバーシートの間を防水状態で封入することで、トイレ汚れ検出シート積層体を構成すると良い。
そして、このようなトイレ汚れ検出シート積層体を用いれば、表示剤がｐｈ変化を表示する毎に、上層のカバーシートを剥がして行くことで、使用済みのトイレ汚れ検出シートを除去し、かつ下層のカバーシート上の新たなトイレ汚れ検出シートを表面に露出させることができ、表面に次々と露出するトイレ汚れ検出シートにより、何度も尿の有無の検査を実施することが可能となる。その結果、トイレの被清掃領域に、検査を行う毎にトイレ汚れ検出シートを貼る必要がなくなり、検査作業の効率化を図ることが可能となる。
【図面の簡単な説明】
【００１７】
【図１】（Ａ）はトイレ汚れ検出シート１を示す平面図、（Ｂ）複数連結したトイレ汚れ検出シート１を示す平面図、（Ｃ）端部に比較用表示部５を設けたトイレ汚れ検出シート１を示す平面図である。
【図２】（Ａ）トイレ汚れ検出シート積層体Ｓに使用するカバーシート１０を示す斜視図、（Ｂ）カバーシート１０にトイレ汚れ検出シート１を貼付した状態を示す斜視図である。
【図３】トイレ汚れ検出シート積層体Ｓの正面図である。
【図４】トイレ汚れ検出シート１又はトイレ汚れ検出シート積層体Ｓをトイレの被清掃領域に貼付した例を示す説明図である。
【発明を実施するための形態】
【００１８】
本発明の一実施形態について図１〜図４を参照して説明する。
図１（Ａ）は、本発明に係るトイレ汚れ検出シート１であって、水分を吸収する基材シート２と、基材シート２に含浸されて尿に含有される成分のｐｈ変化を促進する促進剤３と、前記基材シート２に含浸されて該基材シート２内の促進剤３によるｐｈ変化を表示する表示剤４と、から構成されている。
【００１９】
前記促進剤３として、尿に含有される尿素を分解してアンモニア生成を促進するウレアーゼ酵素などの尿素分解酵素が使用される。また、前記表示剤４として、基材シート２のｐＨ変化を検出するフェノールレッド、リトマス、メチルレッドなどのｐＨ指示薬が使用される。
【００２０】
そして、上記トイレ汚れ検出シート１は、例えば、尿が飛散する恐れのある便器周囲の被清掃領域に貼付しておくことで、尿汚れが存在した場合に、尿の主成分であるウレア（尿素）が、促進剤であるウレアーゼの作用によって分解され、アンモニアに変化する。アンモニアは強アルカリ性物質であるため、表示剤であるｐＨ指示薬が色変化（フェノールレッドの場合は赤に変化）する。すなわち、上記トイレ汚れ検出シート１での色の変化は、その場所にウレアがある（尿汚れがある）ことを示すものである。
【００２１】
なお、上記トイレ汚れ検出シート１では、基材シート２に促進剤３及び表示剤４を含浸させるようにしたが、これに限定されず、該基材シート２の表面に塗布するようにしても良い。また、便器周辺の被清掃領域への貼付は、両面テープ又は接着剤による他、様々な取付け方式が選択可能である。
【００２２】
（変形実施例１）
上記トイレ汚れ検出シート１は１枚のみを使用しても良いが、図１（Ｂ）に示すように複数枚を隣接配置する、又は１枚のトイレ汚れ検出シート１を複数の区画に分割し、複数ある各部においてそれぞれトイレの汚れを検出しても良い。そして、各部において色の変化を比較することで、精度の高い尿検出が可能となる。
【００２３】
また、このとき、図１（Ｃ）に示すように、上記トイレ汚れ検出シート１の一端部に、アンモニアを検出した際の表示剤４の色（フェノールレッドの場合は赤色）を、比較用表示部５として設けても良い。そして、このような色比較により、上記トイレ汚れ検出シート１の色変化を確実に認識することが可能となる。この比較用表示部５は、上述したトイレ汚れ検出シート１に尿を染み込ませて変色させたものを使用しても良いし、別途、作成した色見本を使用しても良い。
【００２４】
（変形実施例２）
図１（Ａ）〜（Ｃ）では、トイレ汚れ検出シート１が尿を検出して変色する毎に取り替える必要があるが、この取り替えの手間を軽減するために、図２及び図３に示すトイレ汚れ検出シート積層体Ｓを用いても良い。
【００２５】
このトイレ汚れ検出シート積層体Ｓは、図２（Ａ）に示すように基材シート２より平面形状の大きなカバーシート１０を複数枚用意し、図２（Ｂ）及び図３に示すように、これら各カバーシート１０上の中央部にトイレ汚れ検出シート１を貼り付けた上で、各カバーシート１０の周縁部１０Ａ（図２に斜線で示す部分であって、この範囲に粘着剤が塗布されている）を互いに粘着させた構造である。これによって、トイレ汚れ検出シート積層体Ｓ内には、複数のカバーシート１０の各間にトイレ汚れ検出シート１が防水状態で封入される。
このとき、カバーシート１０上のトイレ汚れ検出シート１には、粘着剤が塗布されていない範囲に接しているので、上層のカバーシート１０を剥がす際に、下層のカバーシート１０上のトイレ汚れ検出シート１を破損させることなく、表面に露出させることができる。
【００２６】
そして、このようなトイレ汚れ検出シート積層体Ｓでは、トイレ汚れ検出シート１上の表示剤４がｐｈ変化を表示する毎に、カバーシート１０を剥がして行くことで、上層の使用済みのトイレ汚れ検出シート１を除去し、かつ下層の新たなトイレ汚れ検出シート１を表面に露出させることができ、表面に次々と露出するトイレ汚れ検出シート１により、何度も尿の有無の検査を実施することが可能となる。その結果、トイレの被清掃領域に、検査を行う毎にトイレ汚れ検出シート１を貼る必要がなくなり、検査作業の効率化が可能となる。
【００２７】
次に、上記トイレ汚れ検出シート１又はトイレ汚れ検出シート積層体Ｓを用いたトイレ清掃方法について、図３を参照して説明する。
【００２８】
図４に示すように、まず、上述したトイレ汚れ検出シート１又はトイレ汚れ検出シート積層体Ｓを、尿が飛散する恐れのある便器周囲の壁、床といった被清掃領域に貼付する。このとき、これらトイレ汚れ検出シート１又はトイレ汚れ検出シート積層体Ｓは、尿の飛散分布が分かるように互いに一定の間隔をおいて（例えば、マトリックス状に）複数箇所配置する（設置工程）。
【００２９】
次に、各箇所におけるトイレ汚れ検出シート１又はトイレ汚れ検出シート積層体Ｓにおいて、尿が付着することによる表示剤４の変色状態を観察することで、どの場所が汚れ易いのか、どの場所が汚れないのか等の判別を行う（判別工程）。このような判別は、表示剤４が変色した場合、トイレ汚れ検出シート１を取り換える、又はトイレ汚れ検出シート積層体Ｓのカバーシート１０を剥がし、複数回のデータ収集により、高い精度で実行すると良い。
【００３０】
そして、上述した判定工程で判別された各箇所の汚れの程度によって、トイレの清掃時期、トイレの清掃範囲を決定し、この決定結果に基づき、最適な掃除のパターン（集中的に清掃すべき個所）、掃除スケジュールを決定する（決定工程）。
【００３１】
以上詳細に説明したように、本実施形態に示すトイレ汚れ検出シート１は、水分を吸収する基材シート２に含浸又は塗布されて尿に含有される成分のｐｈ変化を促進する促進剤３と、該促進剤３によるｐｈ変化を表示する表示剤４と、から構成したので、促進剤３として、例えば尿に含有される尿素のアンモニア分解を促進するウレアーゼ酵素を使用することで、尿に含有される尿素を速やかにアンモニアに分解させ、該分解によるｐｈ変化を表示剤４により表すことができる。
すなわち、上記トイレ汚れ検出シート１では、尿の自然分解により不快なアンモニア臭が広く発生する以前に、促進剤３よる強制的かつ局所的なアンモニア分解により尿の存在をいち早く知ることができ、その結果、臭気原因物質の存在を簡単にチェックして速やかな清掃作業を可能とする。
【００３２】
そして、このようなトイレ汚れ検出シート１を、トイレの被掃除領域に複数箇所に配置し、各所の変色状態から汚れの程度を判別するようにすれば、判別された汚れの程度によってトイレの清掃範囲、清掃時期を容易に決定することができ、更には、これらトイレの清掃範囲及び清掃時期から最適な掃除のパターン、掃除スケジュールを決定することができる。
【００３３】
また、上述したトイレ汚れ検出シート１を、カバーシート１０の間に挟んで複数積層したトイレ汚れ検出シート積層体Ｓを用いれば、表示剤４がｐｈ変化を表示する毎に、カバーシート１０を剥がして行くことで、使用済みの上層のトイレ汚れ検出シート１を除去し、かつ下層の新たなトイレ汚れ検出シート１を表面に露出させることができ、表面に次々と露出可能なトイレ汚れ検出シート１により、何度も尿検査を実施することができる。その結果、トイレの被清掃領域に、検査を行う毎にトイレ汚れ検出シート１を貼る必要がなくなり、検査作業の効率化が可能となる。
【００３４】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３５】
本発明は、駅のトイレなどに使用されて、トイレ清浄度の判定をするトイレ汚れ検出シート及びその積層体、トイレの清掃範囲及び清掃時期決定方法、トイレの清掃方法に関する。
【符号の説明】
【００３６】
１  トイレ汚れ検出シート
２  基材シート
３  促進剤
４  表示剤
５  比較用表示部
１０  カバーシート
Ｓ  トイレ汚れ検出シート積層体
【図１】
0005806036.tif 000002
【図２】
0005806036.tif 000003
【図３】
0005806036.tif 000004
【図４】
0005806036.tif 000005